【手続補正書】
【提出日】平成15年8月12日(2003.8.12)
【手続補正１】
【補正対象書類名】明細書
【補正対象項目名】発明の名称
【補正方法】変更
【補正の内容】
【発明の名称】写真感光材料処理装置
【手続補正２】
【補正対象書類名】明細書
【補正対象項目名】特許請求の範囲
【補正方法】変更
【補正の内容】
【特許請求の範囲】
【請求項１】
処理液により写真感光材料を処理する写真感光材料処理装置の処理工程の少なくとも１つの工程が、処理液を一旦溜める処理部を複数個有し、各処理部は処理液を一旦溜める液溜手段と、液溜手段に溜められた処理液を写真感光材料に供給する処理液供給手段、及び写真感光材料の搬送手段を有し、前記処理工程は処理工程より着脱可能な複数の前記処理部から構成され、写真感光材料の表面に処理液を存在させつつ、気体中の搬送路に沿って搬送させることを特徴とする写真感光材料処理装置。
【請求項２】
前記各処理部は、写真感光材料に供給された処理液を絞るためのスクイズ手段を有することを特徴とする請求項１に記載の写真感光材料処理装置。
【請求項３】
前記写真感光材料の搬送手段が、前記液溜手段に溜められた処理液に一部が浸漬するように設けられた搬送ローラであり、この搬送ローラが前記処理液供給手段とスクイズ手段を兼ねることを特徴とする請求項１または請求項２に記載の写真感光材料処理装置。
【請求項４】
前記液溜手段が、液溜皿であり、この液溜皿は写真感光材料が通過するためのスリット部を有し、前記処理部が複数略上下方向に併設され、写真感光材料が上方から下方、または下方から上方に写真感光材料の表面に処理液を存在させつつ、気体中の搬送路に沿って搬送することを特徴とする請求項１乃至請求項３のいずれかに記載の写真感光材料処理装置。
【請求項５】
前記処理工程に、複数個の処理部を保持して１つの処理工程を形成するための処理部保持部材を有し、処理部を処理部保持部材に保持し、かつ位置決めするためのスライド手段を設け、このスライド手段は前記処理部保持部材の凸部と処理部の凹部、又は処理部保持部材の凹部と処理部の凸部が噛み合う構造であることを特徴とする請求項１乃至請求項４のいずれかに記載の写真感光材料処理装置。
【請求項６】
前記処理工程に、複数個の処理部を保持して１つの処理工程を形成するための処理部保持部材を有し、この処理部保持部材に処理部を固定するための処理部固定部材を、処理部保持部材に設置したことを特徴とする請求項１乃至請求項５のいずれかに記載の写真感光材料処理装置。
【請求項７】
一つの処理部固定部材の解除で、処理部保持部材への固定が複数の処理部で同時に解除されることを特徴とする請求項６に記載の写真感光材料処理装置。
【請求項８】
前記処理工程に、複数個の処理部を保持して１つの処理工程を形成するための処理部保持部材を有し、処理部保持部材に処理部を固定するための処理部固定部材を、処理部に設置したことを特徴とする請求項１乃至請求項５のいずれかに記載の写真感光材料処理装置。
【請求項９】
処理液により写真感光材料を処理する写真感光材料処理装置の処理工程の少なくとも１つの工程がラック構造で形成され、ラック構造の少なくとも一部が、処理液を一旦溜める処理部を複数個有し、各処理部は処理液を一旦溜める液溜手段と、液溜手段に溜められた処理液を写真感光材料に供給する処理液供給手段、及び写真感光材料の搬送手段を有し、前記処理工程は処理工程より着脱可能な複数の処理部から構成されており、写真感光材料の表面に処理液を存在させつつ、気体中の搬送路に沿って搬送させることを特徴とする写真感光材料処理装置。
【請求項１０】
前記各処理部は、写真感光材料に供給された処理液を絞るためのスクイズ手段を有することを特徴とする請求項９に記載の写真感光材料処理装置。
【請求項１１】
前記写真感光材料の搬送手段が、前記液溜手段に溜められた処理液に一部が浸漬するように設けられた搬送ローラであり、この搬送ローラが前記処理液供給手段とスクイズ手段を兼ねることを特徴とする請求項９または請求項１０に記載の写真感光材料処理装置。
【請求項１２】
前記液溜手段が、液溜皿であり、この液溜皿は写真感光材料が通過するためのスリット部を有し、前記処理部が複数略上下方向に併設され、写真感光材料が上方から下方、または下方から上方に写真感光材料の表面に処理液を存在させつつ、気体中の搬送路に沿って搬送することを特徴とする請求項９乃至請求項１１のいずれかに記載の写真感光材料処理装置。
【請求項１３】
前記処理工程のラック構造に、複数個の処理部を保持して１つの処理工程を形成するための処理部保持部材を有し、処理部を処理部保持部材に保持し、かつ位置決めするためのスライド手段を設け、このスライド手段は前記処理部保持部材の凸部と処理部の凹部、又は処理部保持部材の凹部と処理部の凸部が噛み合う構造であることを特徴とする請求項９乃至請求項１２のいずれかに記載の写真感光材料処理装置。
【請求項１４】
前記処理工程のラック構造に、複数個の処理部を保持して１つの処理工程を形成するための処理部保持部材を有し、この処理部保持部材に処理部を固定するための処理部固定部材を、処理部保持部材に設置したことを特徴とする請求項９乃至請求項１３のいずれかに記載の写真感光材料処理装置。
【請求項１５】
一つの処理部固定部材の解除で、処理部保持部材への固定が複数の処理部で同時に解除されることを特徴とする請求項１４に記載の写真感光材料処理装置。
【請求項１６】
前記処理工程のラック構造に、複数個の処理部を保持して１つの処理工程を形成するための処理部保持部材を有し、処理部保持部材に処理部を固定するための処理部固定部材を、処理部に設置したことを特徴とする請求項９乃至請求項１３のいずれかに記載の写真感光材料処理装置。
【請求項１７】
写真感光材料が下方から上方に搬送され、上方の処理部より下方の処理部へ処理液が供給される構造であることを特徴とする請求項１乃至請求項１６のいずれかに記載の写真感光材料処理装置。
【請求項１８】
処理工程が安定化工程、又は水洗工程であることを特徴とする請求項１乃至請求項１７のいずれかに記載の写真感光材料処理装置。
【請求項１９】
前記処理部が、搬送ローラと、搬送ローラ軸受けと、軸受けの位置を規制する軸受け固定板と、液溜皿を有し、軸受け固定板を保持し、かつ位置決めするための軸受け固定板保持部材を液溜皿に設けたことを特徴とする請求項４または請求項１２に記載の写真感光材料処理装置。
【手続補正３】
【補正対象書類名】明細書
【補正対象項目名】０００１
【補正方法】変更
【補正の内容】
【０００１】
【発明の属する技術分野】
この発明は、露光済の写真感光材料を処理液によって現像処理する写真感光材料処理装置に関するものである。


【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００５５
【補正方法】削除
【補正の内容】
【手続補正７】
【補正対象書類名】明細書
【補正対象項目名】００５６
【補正方法】削除
【補正の内容】
【手続補正８】
【補正対象書類名】明細書
【補正対象項目名】００５７
【補正方法】削除
【補正の内容】
【手続補正９】
【補正対象書類名】明細書
【補正対象項目名】００５８
【補正方法】削除
【補正の内容】
【手続補正１０】
【補正対象書類名】明細書
【補正対象項目名】００５９
【補正方法】削除
【補正の内容】
【手続補正１１】
【補正対象書類名】明細書
【補正対象項目名】００６０
【補正方法】削除
【補正の内容】
【手続補正１２】
【補正対象書類名】明細書
【補正対象項目名】００６１
【補正方法】削除
【補正の内容】
【手続補正１３】
【補正対象書類名】明細書
【補正対象項目名】００６２
【補正方法】削除
【補正の内容】
【手続補正１４】
【補正対象書類名】明細書
【補正対象項目名】００６３
【補正方法】削除
【補正の内容】
【手続補正１５】
【補正対象書類名】明細書
【補正対象項目名】００６４
【補正方法】削除
【補正の内容】
【手続補正１６】
【補正対象書類名】明細書
【補正対象項目名】００６５
【補正方法】削除
【補正の内容】
【手続補正１７】
【補正対象書類名】明細書
【補正対象項目名】００６６
【補正方法】削除
【補正の内容】
【手続補正１８】
【補正対象書類名】明細書
【補正対象項目名】００６７Ｅ
【補正方法】削除
【補正の内容】
【手続補正１９】
【補正対象書類名】明細書
【補正対象項目名】００６８
【補正方法】削除
【補正の内容】
【手続補正２０】
【補正対象書類名】明細書
【補正対象項目名】００６９
【補正方法】削除
【補正の内容】
【手続補正２１】
【補正対象書類名】明細書
【補正対象項目名】００７０
【補正方法】削除
【補正の内容】
【手続補正２２】
【補正対象書類名】明細書
【補正対象項目名】００７１
【補正方法】削除
【補正の内容】
【手続補正２３】
【補正対象書類名】明細書
【補正対象項目名】００７２
【補正方法】削除
【補正の内容】
【手続補正２４】
【補正対象書類名】明細書
【補正対象項目名】００７３
【補正方法】削除
【補正の内容】
【手続補正２５】
【補正対象書類名】明細書
【補正対象項目名】００７４
【補正方法】削除
【補正の内容】
【手続補正２６】
【補正対象書類名】明細書
【補正対象項目名】００７５
【補正方法】削除
【補正の内容】
【手続補正２７】
【補正対象書類名】明細書
【補正対象項目名】００７６
【補正方法】削除
【補正の内容】
【手続補正２８】
【補正対象書類名】明細書
【補正対象項目名】００７７
【補正方法】削除
【補正の内容】
【手続補正２９】
【補正対象書類名】明細書
【補正対象項目名】００７８
【補正方法】削除
【補正の内容】
【手続補正３０】
【補正対象書類名】明細書
【補正対象項目名】００７９
【補正方法】削除
【補正の内容】
【手続補正３１】
【補正対象書類名】明細書
【補正対象項目名】００８０
【補正方法】削除
【補正の内容】
【手続補正３２】
【補正対象書類名】明細書
【補正対象項目名】００８１
【補正方法】削除
【補正の内容】
【手続補正３３】
【補正対象書類名】明細書
【補正対象項目名】００８２
【補正方法】削除
【補正の内容】
【手続補正３４】
【補正対象書類名】明細書
【補正対象項目名】００８３
【補正方法】削除
【補正の内容】
【手続補正３５】
【補正対象書類名】明細書
【補正対象項目名】００８４
【補正方法】削除
【補正の内容】
【手続補正３６】
【補正対象書類名】明細書
【補正対象項目名】００８５
【補正方法】削除
【補正の内容】
【手続補正３７】
【補正対象書類名】明細書
【補正対象項目名】００８６
【補正方法】削除
【補正の内容】
【手続補正３８】
【補正対象書類名】明細書
【補正対象項目名】００８７
【補正方法】削除
【補正の内容】
【手続補正３９】
【補正対象書類名】明細書
【補正対象項目名】００８８
【補正方法】削除
【補正の内容】
【手続補正４０】
【補正対象書類名】明細書
【補正対象項目名】００８９
【補正方法】削除
【補正の内容】
【手続補正４１】
【補正対象書類名】明細書
【補正対象項目名】００９０
【補正方法】削除
【補正の内容】
【手続補正４２】
【補正対象書類名】明細書
【補正対象項目名】００９１
【補正方法】削除
【補正の内容】
【手続補正４３】
【補正対象書類名】明細書
【補正対象項目名】００９２
【補正方法】削除
【補正の内容】
【手続補正４４】
【補正対象書類名】明細書
【補正対象項目名】００９３
【補正方法】削除
【補正の内容】
【手続補正４５】
【補正対象書類名】明細書
【補正対象項目名】００９５
【補正方法】削除
【補正の内容】
【手続補正４６】
【補正対象書類名】明細書
【補正対象項目名】００９５
【補正方法】削除
【補正の内容】
【手続補正４７】
【補正対象書類名】明細書
【補正対象項目名】００９６
【補正方法】削除
【補正の内容】
【手続補正４８】
【補正対象書類名】明細書
【補正対象項目名】００９７
【補正方法】削除
【補正の内容】
【手続補正４９】
【補正対象書類名】明細書
【補正対象項目名】００９８
【補正方法】削除
【補正の内容】
【手続補正５０】
【補正対象書類名】明細書
【補正対象項目名】００９９
【補正方法】削除
【補正の内容】
【手続補正５１】
【補正対象書類名】明細書
【補正対象項目名】０１００
【補正方法】削除
【補正の内容】
【手続補正５２】
【補正対象書類名】明細書
【補正対象項目名】０１０１
【補正方法】削除
【補正の内容】
【手続補正５３】
【補正対象書類名】明細書
【補正対象項目名】０１０２
【補正方法】削除
【補正の内容】
【手続補正５４】
【補正対象書類名】明細書
【補正対象項目名】０１０３
【補正方法】削除
【補正の内容】
【手続補正５５】
【補正対象書類名】明細書
【補正対象項目名】０１０４
【補正方法】削除
【補正の内容】
【手続補正５６】
【補正対象書類名】明細書
【補正対象項目名】０１０５
【補正方法】削除
【補正の内容】
【手続補正５７】
【補正対象書類名】明細書
【補正対象項目名】０１０６
【補正方法】削除
【補正の内容】
【手続補正５８】
【補正対象書類名】明細書
【補正対象項目名】０１０７
【補正方法】削除
【補正の内容】
【手続補正５９】
【補正対象書類名】明細書
【補正対象項目名】０１０８
【補正方法】削除
【補正の内容】
【手続補正６０】
【補正対象書類名】明細書
【補正対象項目名】０１０９
【補正方法】削除
【補正の内容】
【手続補正６１】
【補正対象書類名】明細書
【補正対象項目名】０１１０
【補正方法】削除
【補正の内容】
【手続補正６２】
【補正対象書類名】明細書
【補正対象項目名】０１１１
【補正方法】削除
【補正の内容】
【手続補正６３】
【補正対象書類名】明細書
【補正対象項目名】０１１２
【補正方法】削除
【補正の内容】
【手続補正６４】
【補正対象書類名】明細書
【補正対象項目名】０１１３
【補正方法】削除
【補正の内容】
【手続補正６５】
【補正対象書類名】明細書
【補正対象項目名】０１１４
【補正方法】削除
【補正の内容】
【手続補正６６】
【補正対象書類名】明細書
【補正対象項目名】０１１５
【補正方法】削除
【補正の内容】
【手続補正６７】
【補正対象書類名】明細書
【補正対象項目名】０１１６
【補正方法】削除
【補正の内容】
【手続補正６８】
【補正対象書類名】明細書
【補正対象項目名】０１１７
【補正方法】削除
【補正の内容】
【手続補正６９】
【補正対象書類名】明細書
【補正対象項目名】０１１８
【補正方法】削除
【補正の内容】
【手続補正７０】
【補正対象書類名】明細書
【補正対象項目名】０１１９
【補正方法】削除
【補正の内容】
【手続補正７１】
【補正対象書類名】明細書
【補正対象項目名】０１２０
【補正方法】削除
【補正の内容】
【手続補正７２】
【補正対象書類名】明細書
【補正対象項目名】０１２１
【補正方法】削除
【補正の内容】
【手続補正７３】
【補正対象書類名】明細書
【補正対象項目名】０１２２
【補正方法】削除
【補正の内容】
【手続補正７４】
【補正対象書類名】明細書
【補正対象項目名】０１２３
【補正方法】削除
【補正の内容】
【手続補正７５】
【補正対象書類名】明細書
【補正対象項目名】０１２４
【補正方法】削除
【補正の内容】
【手続補正７６】
【補正対象書類名】明細書
【補正対象項目名】０１２５
【補正方法】削除
【補正の内容】
【手続補正７７】
【補正対象書類名】明細書
【補正対象項目名】０１２６
【補正方法】削除
【補正の内容】
【手続補正７８】
【補正対象書類名】明細書
【補正対象項目名】０１２７
【補正方法】削除
【補正の内容】
【手続補正７９】
【補正対象書類名】明細書
【補正対象項目名】０１２８
【補正方法】削除
【補正の内容】
【手続補正８０】
【補正対象書類名】明細書
【補正対象項目名】０１２９
【補正方法】削除
【補正の内容】
【手続補正８１】
【補正対象書類名】明細書
【補正対象項目名】０１３０
【補正方法】削除
【補正の内容】
【手続補正８２】
【補正対象書類名】明細書
【補正対象項目名】０１３１
【補正方法】削除
【補正の内容】
【手続補正８３】
【補正対象書類名】明細書
【補正対象項目名】０１３２
【補正方法】削除
【補正の内容】
【手続補正８４】
【補正対象書類名】明細書
【補正対象項目名】０１３３
【補正方法】削除
【補正の内容】
【手続補正８５】
【補正対象書類名】明細書
【補正対象項目名】０１３４
【補正方法】削除
【補正の内容】
【手続補正８６】
【補正対象書類名】明細書
【補正対象項目名】０１３５
【補正方法】削除
【補正の内容】
【手続補正８７】
【補正対象書類名】明細書
【補正対象項目名】０１３６
【補正方法】削除
【補正の内容】
【手続補正８８】
【補正対象書類名】明細書
【補正対象項目名】０１３７
【補正方法】削除
【補正の内容】
【手続補正８９】
【補正対象書類名】明細書
【補正対象項目名】０１３８
【補正方法】削除
【補正の内容】
【手続補正９０】
【補正対象書類名】明細書
【補正対象項目名】０１３９
【補正方法】削除
【補正の内容】
【手続補正９１】
【補正対象書類名】明細書
【補正対象項目名】０１４０
【補正方法】削除
【補正の内容】
【手続補正９２】
【補正対象書類名】明細書
【補正対象項目名】０１４１
【補正方法】削除
【補正の内容】
【手続補正９３】
【補正対象書類名】明細書
【補正対象項目名】０１４２
【補正方法】削除
【補正の内容】
【手続補正９４】
【補正対象書類名】明細書
【補正対象項目名】０１４３
【補正方法】削除
【補正の内容】
【手続補正９５】
【補正対象書類名】明細書
【補正対象項目名】０１４４
【補正方法】削除
【補正の内容】
【手続補正９６】
【補正対象書類名】明細書
【補正対象項目名】０１４５
【補正方法】削除
【補正の内容】
【手続補正９７】
【補正対象書類名】明細書
【補正対象項目名】０１４６
【補正方法】削除
【補正の内容】
【手続補正９８】
【補正対象書類名】明細書
【補正対象項目名】０１４７
【補正方法】削除
【補正の内容】
【手続補正９９】
【補正対象書類名】明細書
【補正対象項目名】０１４８
【補正方法】削除
【補正の内容】
【手続補正１００】
【補正対象書類名】明細書
【補正対象項目名】０１４９
【補正方法】削除
【補正の内容】
【手続補正１０１】
【補正対象書類名】明細書
【補正対象項目名】０１５０
【補正方法】削除
【補正の内容】
【手続補正１０２】
【補正対象書類名】明細書
【補正対象項目名】０１５１
【補正方法】削除
【補正の内容】
【手続補正１０３】
【補正対象書類名】明細書
【補正対象項目名】０１５２
【補正方法】削除
【補正の内容】
【手続補正１０４】
【補正対象書類名】明細書
【補正対象項目名】０１５３
【補正方法】削除
【補正の内容】
【手続補正１０５】
【補正対象書類名】明細書
【補正対象項目名】０１５４
【補正方法】削除
【補正の内容】
【手続補正１０６】
【補正対象書類名】明細書
【補正対象項目名】０１５５
【補正方法】削除
【補正の内容】
【手続補正１０７】
【補正対象書類名】明細書
【補正対象項目名】０１５６
【補正方法】削除
【補正の内容】
【手続補正１０８】
【補正対象書類名】明細書
【補正対象項目名】０１５７
【補正方法】削除
【補正の内容】
【手続補正１０９】
【補正対象書類名】明細書
【補正対象項目名】０１５８
【補正方法】削除
【補正の内容】
【手続補正１１０】
【補正対象書類名】明細書
【補正対象項目名】０１５９
【補正方法】削除
【補正の内容】
【手続補正１１１】
【補正対象書類名】明細書
【補正対象項目名】０１６０
【補正方法】削除
【補正の内容】
【手続補正１１２】
【補正対象書類名】明細書
【補正対象項目名】０１６１
【補正方法】削除
【補正の内容】
【手続補正１１３】
【補正対象書類名】明細書
【補正対象項目名】０１６２
【補正方法】削除
【補正の内容】
【手続補正１１４】
【補正対象書類名】明細書
【補正対象項目名】０１６３
【補正方法】削除
【補正の内容】
【手続補正１１５】
【補正対象書類名】明細書
【補正対象項目名】０１６４
【補正方法】削除
【補正の内容】
【手続補正１１６】
【補正対象書類名】明細書
【補正対象項目名】０１６５
【補正方法】削除
【補正の内容】
【手続補正１１７】
【補正対象書類名】明細書
【補正対象項目名】０１６６
【補正方法】削除
【補正の内容】
【手続補正１１８】
【補正対象書類名】明細書
【補正対象項目名】０１６７
【補正方法】削除
【補正の内容】
【手続補正１１９】
【補正対象書類名】明細書
【補正対象項目名】０１６８
【補正方法】削除
【補正の内容】
【手続補正１２０】
【補正対象書類名】明細書
【補正対象項目名】０１６９
【補正方法】削除
【補正の内容】
【手続補正１２１】
【補正対象書類名】明細書
【補正対象項目名】０１７０
【補正方法】削除
【補正の内容】
【手続補正１２２】
【補正対象書類名】明細書
【補正対象項目名】０１７１
【補正方法】削除
【補正の内容】
【手続補正１２３】
【補正対象書類名】明細書
【補正対象項目名】０１７２
【補正方法】削除
【補正の内容】
【手続補正１２４】
【補正対象書類名】明細書
【補正対象項目名】０１７３
【補正方法】削除
【補正の内容】
【手続補正１２５】
【補正対象書類名】明細書
【補正対象項目名】０１７４
【補正方法】削除
【補正の内容】
【手続補正１２６】
【補正対象書類名】明細書
【補正対象項目名】０１７５
【補正方法】削除
【補正の内容】
【手続補正１２７】
【補正対象書類名】明細書
【補正対象項目名】０１７６
【補正方法】削除
【補正の内容】
【手続補正１２８】
【補正対象書類名】明細書
【補正対象項目名】０１７７
【補正方法】削除
【補正の内容】
【手続補正１２９】
【補正対象書類名】明細書
【補正対象項目名】０１７８
【補正方法】削除
【補正の内容】
【手続補正１３０】
【補正対象書類名】明細書
【補正対象項目名】０１７９
【補正方法】削除
【補正の内容】
【手続補正１３１】
【補正対象書類名】明細書
【補正対象項目名】０１８０
【補正方法】削除
【補正の内容】
【手続補正１３２】
【補正対象書類名】明細書
【補正対象項目名】０２０４
【補正方法】変更
【補正の内容】
【０２０４】
発色現像処理部２には、搬送ローラ対２１を有する処理ラック２２が配置され、この処理ラック２２は上方から着脱可能である。漂白定着処理部３にも同様に、搬送ローラ対３１を有する処理ラック３２が配置され、処理ラック３２は上方から着脱可能である。発色現像処理部２と漂白定着処理部３との間には、渡り部２３が設けられている。露光部１０から写真感光材料が発色現像処理部２へ送られ、発色現像処理部２では処理ラック２２により形成される搬送路を上方から下方へ向かい、下方で上方へターンして搬送され、渡り部２３を介して漂白定着処理部３へ送られる。漂白定着処理部３では、処理ラック３２により形成される搬送路を上方から下方へ向かい、下方で上方へターンして搬送され、渡り部３３を介して第２の処理工程Ｂへ送られる。


【手続補正１３３】
【補正対象書類名】明細書
【補正対象項目名】０２０７
【補正方法】変更
【補正の内容】
【０２０７】
補充タンク５０から安定液、水洗水等の処理液が、供給ポンプＰ１の駆動により上部の液供給口４３から供給され、処理液は最上段の処理部４０から順次下方の処理部４０へ流す多段向流構造になっており、廃液タンク５１に回収された処理液は、貯留タンク５２に溜められる。第２の処理工程Ｂは、上方の液溜皿４１から下方の液溜皿４１に処理液を落下させながら写真感光材料の表面に処理液を存在させつつ液溜皿４１のスリット部４１ａを通過する写真感光材料を搬送ローラ４２により気体中を下方から上方に搬送させて処理する。


【手続補正１３４】
【補正対象書類名】明細書
【補正対象項目名】０２２３
【補正方法】変更
【補正の内容】
【０２２３】
搬送ローラ３０５は、凹部３０４ａを区画する内側壁３０４ｅにニップバネ３１０を介して支持され、搬送ローラ軸３０５ａの両端部は外側壁３０４ｆの外側の位置でＥリング３０９により抜け止めされている。また、一対の搬送ローラ３０５の搬送ローラ軸３０５ａの両端部は、ニップバネ３１０により互いに近付く方向に所定のバネ力で付勢されて搬送ローラ３０５の回転により搬送ローラ３０５の間を写真感光材料が搬送される。ニップバネ３１０は、凹部３０４ａに位置しており、この凹部３０４ａに液が溜ることを防止する排出孔３１１が形成され、凹部３０４ａに入る処理液は排出孔３１１から下方へ落下する。


【手続補正１３５】
【補正対象書類名】明細書
【補正対象項目名】０２４２
【補正方法】変更
【補正の内容】
【０２４２】
図２０（ｃ）に示す実施の形態では、液溜皿３０４を樹脂により形成し、液溜皿３０４の両端部に切欠き３６５ｃを形成して弾性変形可能な処理部固定部材３６５を設けている。このような処理部固定部材３６５は係合突起３６５ｄを有し、処理部固定部材３６５は、弾性変形して係合突起３６５ｄが側板３６０に形成されたピン穴３６０ｄに係合することで抜け止めが行われる。処理部３０３を引き出す場合には、処理部固定部材３６５を摘んで係合突起３６５ｄをピン穴３６０ｄから外すことで処理部３０３のロックが同時に解除されて引き出し可能になる。


【手続補正１３６】
【補正対象書類名】明細書
【補正対象項目名】０２７５
【補正方法】変更
【補正の内容】
【０２７５】
また、液溜皿４００は、図３５に示すように、内面に処理液を溜める皿角度形成部４００ｆが形成され、、保液量を減らしている。皿角度形成部４００ｆは、スリット側でない外側の部分４００ｆ１に、液落下口４４０に向けて傾斜する液ガイド面４００ｆ１１を形成し、液落下口側が低く、液落下口４４０から離れる側が高くなっている。皿角度形成部４００ｆのスリット側の部分４００ｆ２は、処理液を写真感光材料に塗りつける処理性に影響するので傾斜は形成しない。スリット側でない外側の部分４００ｆ１は、液落下口４４０に向けて傾斜する液ガイド面４００ｆ１１を形成しても、処理液を塗りつける処理性への影響が小さく、保液量を減らし、液交換率を高められるために処理性が向上する。液ガイド面４００ｆ１１の傾斜はごくわずかで良く、例えば数ｍｍの高低差でもよく、  処理液が流れやすくなればよく、液溜皿４００内における処理液の流れ構造が適性化され、処理性が向上する。


【手続補正１３７】
【補正対象書類名】明細書
【補正対象項目名】０２８７
【補正方法】変更
【補正の内容】
【０２８７】
例えばカラー写真感光材料０．１ｍ2処理を検出する。即ち、プリンタでプリント実行時にデーターを検出する方法、プリンタ部出口にセンサーを取付け写真感光材料面積を検出積算する方法、プロセッサー部入口にセンサーを取付け写真感光材料面積を検出積算する方法等で検出する。そして、ベローズポンプが１回転駆動し、ベローズが１往復移動、ベローズ１往復で１０ｍＬにセットしておくと、規定補充量１０ｍＬ／０．１ｍ2の安定液が補充される。


【手続補正１３８】
【補正対象書類名】明細書
【補正対象項目名】０２９０
【補正方法】変更
【補正の内容】
【０２９０】
具体的には、写真感光材料面積を検出し、補充規定写真感光材料面積に到達すると、時間Ｔ秒後にベローズポンプをｔ秒稼働し、処理液（安定液）を補充する。補充規定写真感光材料面積が好ましくは０．０５ｍ2〜０．２０ｍ2と小さいため、１枚の写真感光材料を処理して補充規定写真感光材料面積の複数倍分である場合が生じるが、その際は安定液規定補充量の複数倍分を連続供給する。


【手続補正１３９】
【補正対象書類名】明細書
【補正対象項目名】０３１６
【補正方法】変更
【補正の内容】
【０３１６】
廃液タンク５１の処理液の一部は、配管８０３を介して貯留タンク５２に排出される。この貯留タンク５２の処理液の一部は、ベローズポンプ５９の駆動で配管８０４を介して第１の処理工程Ａの漂白定着処理部３に供給される。このように、第２の処理工程Ｂの処理液を循環させて温度調節を行うと共に、この循環処理液を他の第１の処理工程Ａの処理液給水に使用するように構成し、処理部の温調を循環処理液で行うことで、処理部の温度の安定性に優れ、また循環処理液から発生する蒸気によって処理液蒸発を防止できる。この時、循環処理液を他の処理部の処理液供給水に使用すると、上記効果に加えて他の処理部へ処理液供給する際に温度が低下せず、他の処理部内の処理液温度の安定性が高くなる。


【手続補正１４０】
【補正対象書類名】明細書
【補正対象項目名】０３２２
【補正方法】変更
【補正の内容】
【０３２２】
このプリンタープロセッサ１３００は、写真感光材料であるカラーペーパー１００１に露光を行うプリンタ１１００とマルチローラ方式の写真感光材料用自動現像機であるプロセッサ１２００とから構成されている。このプリンタープロセッサ１３００は、搬送路１０７７に沿って写真感光材料であるカラーペーパ１００１を搬送して露光及び処理するものである。プリンタ１１００は、露光光源部１００５で露光された露光光により照明された、ネガキヤリア１００６のネガマスクに位置決めされたカラーネガフイルムのコマ画像をレンズ部１００７により露光ステージ１００４上のカラーペーパ１００１に焼付露光する。マガジン１０６０からのロール状のカラーペーパ１００１が搬送ローラ１０００，１００２で送出され、カッター１００３で切断して露光ステージ１００４上に供給されるものである。焼付露光されたカラーペーパ１００１は、プロセッサ１２００に送られる。


【手続補正１４１】
【補正対象書類名】明細書
【補正対象項目名】０３２４
【補正方法】変更
【補正の内容】
【０３２４】
プロセッサ１２００は、多数の搬送ローラ対によりカラーペーパを挟持して搬送するローラトランスポート方式の搬送方式であり、カラーペーパを発色現像液に浸漬させて処理する発色現像処理部Ａ１と、カラーペーパーを漂白定着液に浸漬させて処理する漂白定着処理部Ｂ１と、この処理されたカラーペーパの表面に安定化液を存在させつつ気体中を搬送させてカラーペーパを処理する安定化処理部Ｃ１と、安定化処理部Ｃ１で処理されたカラーペーパを乾燥する乾燥工程Ｄ１とを有している。


【手続補正１４２】
【補正対象書類名】明細書
【補正対象項目名】０３２５
【補正方法】変更
【補正の内容】
【０３２５】
乾燥工程Ｄ１では、乾燥ファン１０１６からの温風を搬送されるカラーペーパに吹きつけて乾燥し、乾燥工程Ｄ１で乾燥し終わったカラーペーパ１０１７はプリンタープロセッサ１３００外に排出される。発色現像処理部Ａ１及び漂白定着処理部Ｂ１には、それぞれ搬送ローラ対を有する処理ラック１００８が配置され、これらの処理ラック１００８は上方から着脱可能である。発色現像処理部Ａ１と、漂白定着処理部Ｂ１との間には、渡りローラ１０１０が設けられている。プリンタ１１００から処理前のカラーペーパ１００１が発色現像処理部Ａ１へ送られ、発色現像処理部Ａ１では、処理前のカラーペーパ１００１は、処理ラック１００８により形成される搬送路を上方から下方へと向かい、下方で上方ヘターンして搬送され、渡りローラ１０１０を介して、漂白定着処理部Ｂ１へ送られる。漂白定着処理部Ｂ１では、カラーペーパは、処理ラック１００８により形成される搬送路を上方から下方へと向かい、下方で上方ヘターンして搬送され、渡りローラ１０１０を介して、安定化処理部Ｃ１へ送られる。


【手続補正１４３】
【補正対象書類名】明細書
【補正対象項目名】０３２９
【補正方法】変更
【補正の内容】
【０３２９】
また、漂白定着処理部Ｂ１と安定化処理部Ｃ１との渡り部を分離可能にクランクさせ、安定化処理部Ｃ１を漂白定着処理部Ｂ１の上方偏位して配置したので、漂白定着処理部Ｂ１の上方が開放され、発色現像処理部Ａ１の処理ラック１００８と、漂白定着処理部Ｂ１の処理ラック１００８とを上方から着脱可能であり、安定化処理部Ｃ１の処理ラック１０１１は上方又は前方から着脱可能であり、安定化処理部Ｃ１の液溜皿１０２１は、左方又は前方から着脱可能である。したがって、メンテナンス性も向上する。


【手続補正１４４】
【補正対象書類名】明細書
【補正対象項目名】０３３０
【補正方法】変更
【補正の内容】
【０３３０】
次に、図５２を用いて安定化処理部の処理ラック内部について説明する。図５２は安定化処理部の処理ラック内部の概略構成図である。安定化処理部Ｃ１は、カラーぺーパを下方から上方へ搬送して処理可能に構成されている。安定化処理部Ｃ１は、処理液を一旦溜める処理部を複数略上下方向に併設され、各々の処理部が液溜皿１０２１ａ〜１０２１ｄと搬送ローラ１０１９ａ〜１０１９ｄとを有している。液溜皿１０２１ａ〜１０２１ｄは、液排出孔１０２２ａ〜１０２２ｄを有している。各搬送ローラ１０１９ａ〜１０１９ｄは、ローラ軸１０２０ａ〜１０２０ｄが回転可能に側板１０２３に懸架されている。また、液溜皿１０２１ａ〜１０２１ｄは、処理ラック１０１１に着脱可能である。尚、液溜皿１０２１ａ〜１０２１ｄと搬送ローラ１０１９ａ〜１０１９ｄとが一体化されており、処理部として着脱可能であることが好ましい。


【手続補正１４５】
【補正対象書類名】明細書
【補正対象項目名】０３４７
【補正方法】変更
【補正の内容】
【０３４７】
図６０に示す、この実施形態の安定化処理部Ｃ１の処理ラック１０１１は、カラーペーパを下方から上方へ搬送して処理可能に構成されている。処理液を一旦溜める処理部を複数略上下方向に併設され、各々の処理部が液溜皿１０２１ａ〜１０２１ｄと搬送ローラ１０１９ａ〜１０１９ｄとを有している。液溜皿１０２１ａ〜１０２１ｄは、液排出孔１０２２ａ〜１０２２ｄを有している。各搬送ローラ１０１９ａ、１０１９ｂは、ローラ軸１０２０ａ、１０２０ｂの片側端部が回転可能に処理ラック１０１１内に設けられた側板１０２３に懸架されている。


【手続補正１４６】
【補正対象書類名】明細書
【補正対象項目名】０３５０
【補正方法】変更
【補正の内容】
【０３５０】
また、液溜皿１０２１は、処理ラック１０１１に着脱可能である。液溜皿１０２１は、処理ラック１０１１内の側板１０２３に取り付けるようにしてもよい。尚、液溜皿１０２１と搬送ローラ１０１９とが一体化されており、処理部として着脱可能であることが好ましい。安定化処理部Ｃ１の処理ラック１０１１において、補充タンクから送られた安定化液、水洗水等の処理液が、上部の液供給口１０１２から供給される。処理液は、まず最上段の処理部の液溜皿１０２１ａに回収され、一旦貯溜される。そして、最上段の処理部の液溜皿１０２１ａに回収された処理液に、搬送ローラ１０１９ａが接触し、その後、カラーぺーパに搬送ローラ１０１９ａが接触することで、カラーぺーパに処理液を供給する。


【手続補正１４７】
【補正対象書類名】明細書
【補正対象項目名】０３５２
【補正方法】変更
【補正の内容】
【０３５２】
洗浄やメンテナンス等の処置を施す際に、液溜皿を自動現像機外に取り出す場合に、図６０に示すような状態で、液溜皿を取り出すと、処理液が液溜皿から自動現像機外や、自動現像機内の他の処理部に零れて、自動現像機周辺を汚したり、処理の機能を阻害する恐れがある。したがって、各液溜皿１０２１ａ、１０２１ｂ・・から処理液を排出する必要がある。処理ラック１０１１の図６０における左側には、蝶番１０５０ａが設けられている。この実施形態においては、図６１に示すように、処理ラック１０１１そのものを傾けることにより、液溜皿１０２１からの処理液の排出を行う。


【手続補正１４８】
【補正対象書類名】明細書
【補正対象項目名】０３５７
【補正方法】変更
【補正の内容】
【０３５７】
また、処理ラック１０１１を傾けた際に、図６１における左側に、処理ラック１０１１の角が滑っていかないように設けた蝶番１０５１も曲がる。蝶番１０５０ｂはラック倒れ防止手段と見ることも、ラック傾け固定手段と見ることもできる。


【手続補正１４９】
【補正対象書類名】明細書
【補正対象項目名】０３７３
【補正方法】変更
【補正の内容】
【０３７３】
（実施形態７）
図６７を用いて、この発明に係る自動現像機を用いたプリンタープロセッサーの安定化処理部の実施形態の他の例について説明する。図６７は、この実施形態における安定化処理部の構成を示した概略説明図である。この実施形態は、各液溜皿に設けた導液管と液流出管及びバキューム手段により、液溜皿から処理液を排出するものである。この実施形態において、安定化処理部は、複数の搬送ローラ１０１９ａ、１０１９ｂ、１０１９ｃと、複数の液溜皿１０２１ａ、１０２１ｂ、１０２１ｃを有しており、カラーペーパの処理は実施形態１〜３と同様に行われる。各液溜皿１０２１ａ、１０２１ｂ、１０２１ｃには処理液を排出するための耐処理液性のゴムでできた導液管１０３４ａ、１０３４ｂ、１０３４ｃが液溜皿端部に接続されており、各導液管１０３４ａ、１０３４ｂ、１０３４ｃの他端は、略鉛直方向に設けられた液流出管１０３５に接続されている。液流出管１０３５は、この実施形態における処理液回収部である貯溜タンクヘと、処理液を導く。尚、各導液管は各液溜皿からワンタッチで着脱可能である。


【手続補正１５０】
【補正対象書類名】明細書
【補正対象項目名】０４０４
【補正方法】削除
【補正の内容】
【手続補正１５１】
【補正対象書類名】明細書
【補正対象項目名】０４０５
【補正方法】削除
【補正の内容】
【手続補正１５２】
【補正対象書類名】明細書
【補正対象項目名】０４０６
【補正方法】削除
【補正の内容】
【手続補正１５３】
【補正対象書類名】明細書
【補正対象項目名】０４０７
【補正方法】削除
【補正の内容】
【手続補正１５４】
【補正対象書類名】明細書
【補正対象項目名】０４０８
【補正方法】削除
【補正の内容】
【手続補正１５５】
【補正対象書類名】明細書
【補正対象項目名】０４０９
【補正方法】削除
【補正の内容】
【手続補正１５６】
【補正対象書類名】明細書
【補正対象項目名】０４１０
【補正方法】削除
【補正の内容】
【手続補正１５７】
【補正対象書類名】明細書
【補正対象項目名】０４１１
【補正方法】削除
【補正の内容】
【手続補正１５８】
【補正対象書類名】明細書
【補正対象項目名】０４１２
【補正方法】削除
【補正の内容】
【手続補正１５９】
【補正対象書類名】明細書
【補正対象項目名】０４１３
【補正方法】削除
【補正の内容】
【手続補正１６０】
【補正対象書類名】明細書
【補正対象項目名】０４１４
【補正方法】削除
【補正の内容】
【手続補正１６１】
【補正対象書類名】明細書
【補正対象項目名】０４１５
【補正方法】削除
【補正の内容】
【手続補正１６２】
【補正対象書類名】明細書
【補正対象項目名】０４１６
【補正方法】削除
【補正の内容】
【手続補正１６３】
【補正対象書類名】明細書
【補正対象項目名】０４１７
【補正方法】削除
【補正の内容】
【手続補正１６４】
【補正対象書類名】明細書
【補正対象項目名】０４１８
【補正方法】削除
【補正の内容】
【手続補正１６５】
【補正対象書類名】明細書
【補正対象項目名】０４１９
【補正方法】削除
【補正の内容】
【手続補正１６６】
【補正対象書類名】明細書
【補正対象項目名】０４２０
【補正方法】削除
【補正の内容】
【手続補正１６７】
【補正対象書類名】明細書
【補正対象項目名】０４２１
【補正方法】削除
【補正の内容】
【手続補正１６８】
【補正対象書類名】明細書
【補正対象項目名】０４２２
【補正方法】削除
【補正の内容】
【手続補正１６９】
【補正対象書類名】明細書
【補正対象項目名】０４２３
【補正方法】削除
【補正の内容】
【手続補正１７０】
【補正対象書類名】明細書
【補正対象項目名】０４２４
【補正方法】削除
【補正の内容】
【手続補正１７１】
【補正対象書類名】明細書
【補正対象項目名】０４２５
【補正方法】削除
【補正の内容】
【手続補正１７２】
【補正対象書類名】明細書
【補正対象項目名】０４２６
【補正方法】削除
【補正の内容】
【手続補正１７３】
【補正対象書類名】明細書
【補正対象項目名】０４２７
【補正方法】削除
【補正の内容】
【手続補正１７４】
【補正対象書類名】明細書
【補正対象項目名】０４２８
【補正方法】削除
【補正の内容】
【手続補正１７５】
【補正対象書類名】明細書
【補正対象項目名】０４２９
【補正方法】削除
【補正の内容】
【手続補正１７６】
【補正対象書類名】明細書
【補正対象項目名】０４３０
【補正方法】削除
【補正の内容】
【手続補正１７７】
【補正対象書類名】明細書
【補正対象項目名】０４３１
【補正方法】削除
【補正の内容】
【手続補正１７８】
【補正対象書類名】明細書
【補正対象項目名】０４３２
【補正方法】削除
【補正の内容】
【手続補正１７９】
【補正対象書類名】明細書
【補正対象項目名】０４３３
【補正方法】削除
【補正の内容】
【手続補正１８０】
【補正対象書類名】明細書
【補正対象項目名】０４３４
【補正方法】削除
【補正の内容】
【手続補正１８１】
【補正対象書類名】明細書
【補正対象項目名】０４３５
【補正方法】削除
【補正の内容】
【手続補正１８２】
【補正対象書類名】明細書
【補正対象項目名】０４３６
【補正方法】削除
【補正の内容】
【手続補正１８３】
【補正対象書類名】明細書
【補正対象項目名】０４３７
【補正方法】削除
【補正の内容】
【手続補正１８４】
【補正対象書類名】明細書
【補正対象項目名】０４３８
【補正方法】削除
【補正の内容】
【手続補正１８５】
【補正対象書類名】明細書
【補正対象項目名】０４３９
【補正方法】削除
【補正の内容】
【手続補正１８６】
【補正対象書類名】明細書
【補正対象項目名】０４４０
【補正方法】削除
【補正の内容】
【手続補正１８７】
【補正対象書類名】明細書
【補正対象項目名】０４４１
【補正方法】削除
【補正の内容】
【手続補正１８８】
【補正対象書類名】明細書
【補正対象項目名】０４４２
【補正方法】削除
【補正の内容】
【手続補正１８９】
【補正対象書類名】明細書
【補正対象項目名】０４４３
【補正方法】削除
【補正の内容】
【手続補正１９０】
【補正対象書類名】明細書
【補正対象項目名】０４４４
【補正方法】削除
【補正の内容】
【手続補正１９１】
【補正対象書類名】明細書
【補正対象項目名】０４４５
【補正方法】削除
【補正の内容】
【手続補正１９２】
【補正対象書類名】明細書
【補正対象項目名】０４４６
【補正方法】削除
【補正の内容】
【手続補正１９３】
【補正対象書類名】明細書
【補正対象項目名】０４４７
【補正方法】削除
【補正の内容】
【手続補正１９４】
【補正対象書類名】明細書
【補正対象項目名】０４４８
【補正方法】削除
【補正の内容】
【手続補正１９５】
【補正対象書類名】明細書
【補正対象項目名】０４４９
【補正方法】削除
【補正の内容】
【手続補正１９６】
【補正対象書類名】明細書
【補正対象項目名】０４５０
【補正方法】削除
【補正の内容】
【手続補正１９７】
【補正対象書類名】明細書
【補正対象項目名】０４５１
【補正方法】削除
【補正の内容】
【手続補正１９８】
【補正対象書類名】明細書
【補正対象項目名】０４５２
【補正方法】削除
【補正の内容】
【手続補正１９９】
【補正対象書類名】明細書
【補正対象項目名】０４５３
【補正方法】削除
【補正の内容】
【手続補正２００】
【補正対象書類名】明細書
【補正対象項目名】０４５４
【補正方法】削除
【補正の内容】
【手続補正２０１】
【補正対象書類名】明細書
【補正対象項目名】０４５５
【補正方法】削除
【補正の内容】
【手続補正２０２】
【補正対象書類名】明細書
【補正対象項目名】０４５６
【補正方法】削除
【補正の内容】
【手続補正２０３】
【補正対象書類名】明細書
【補正対象項目名】０４５７
【補正方法】削除
【補正の内容】
【手続補正２０４】
【補正対象書類名】明細書
【補正対象項目名】０４５８
【補正方法】削除
【補正の内容】
【手続補正２０５】
【補正対象書類名】明細書
【補正対象項目名】０４５９
【補正方法】削除
【補正の内容】
【手続補正２０６】
【補正対象書類名】明細書
【補正対象項目名】０４６０
【補正方法】削除
【補正の内容】
【手続補正２０７】
【補正対象書類名】明細書
【補正対象項目名】０４６１
【補正方法】削除
【補正の内容】
【手続補正２０８】
【補正対象書類名】明細書
【補正対象項目名】０４６２
【補正方法】削除
【補正の内容】
【手続補正２０９】
【補正対象書類名】明細書
【補正対象項目名】０４６３
【補正方法】削除
【補正の内容】
【手続補正２１０】
【補正対象書類名】明細書
【補正対象項目名】０４６４
【補正方法】削除
【補正の内容】
【手続補正２１１】
【補正対象書類名】明細書
【補正対象項目名】０４６５
【補正方法】削除
【補正の内容】
【手続補正２１２】
【補正対象書類名】明細書
【補正対象項目名】０４６６
【補正方法】削除
【補正の内容】
【手続補正２１３】
【補正対象書類名】図面
【補正対象項目名】図４６
【補正方法】変更
【補正の内容】
【図４６】
1999065064.tif 000001
【手続補正２１４】
【補正対象書類名】図面
【補正対象項目名】図４７
【補正方法】変更
【補正の内容】
【図４７】
1999065064.tif 000002